(57)【要約】      （修正有）【課題】粒子の測定を行う前に、洗浄液が貫通孔およびその近傍に吹き付けられ、気泡とともに排出されるので、粒子の測定を気泡のない状態で行うことができ、精度の高い測定結果を得ることが可能となる試料測定方法を提供する。【解決手段】本発明に係る試料測定方法は、試料を少なくとも希釈液で希釈して得られる粒子含有液中の粒子を測定する試料測定方法であって、粒子検出用の貫通孔に洗浄液を吹き付けて、吹きつけられた洗浄液を回収することにより、気泡を除去する工程と、前記気泡除去工程の後、前記貫通孔に、粒子含有液を希釈液からなるシース液で包んで供給する工程と、貫通孔を通過する粒子を測定する工程と、からなることを特徴とする。【選択図】  図５
2006171010.tif 000002
【特許請求の範囲】
【請求項１】
試料を少なくとも希釈液で希釈して得られる粒子含有液中の粒子を測定する試料測定方法であって、
粒子検出用の貫通孔に洗浄液を吹き付けて、吹きつけられた洗浄液を回収することにより、気泡を除去する工程と、
前記気泡除去工程の後、前記貫通孔に、粒子含有液を希釈液からなるシース液で包んで供給する工程と、
貫通孔を通過する粒子を測定する工程と、からなる試料測定方法。
【請求項２】
前記洗浄液が希釈液である請求項１記載の試料測定方法。
【請求項３】
前記洗浄液を前記貫通孔に対して斜めから吹き付ける請求項１または請求項２に記載の試料測定方法。
【請求項４】
前記洗浄液の貫通孔への吹き付けを、粒子含有液供給側及びその逆側からの両方から行う請求項１〜３の何れか１項に記載の試料測定方法。
【請求項５】
前記粒子測定工程において、貫通孔を粒子が通過することによる電気抵抗値の変化に基づき粒子を測定する請求項１〜４の何れか１項に記載の試料測定方法。
【請求項６】
前記試料は血液又は尿である請求項１〜５の何れか１項に記載の試料測定方法。
【発明の詳細な説明】
【技術分野】
【０００１】
本発明は、血液等の試料を希釈液で希釈して得られる粒子含有液中の粒子を測定する試料測定方法に関する。
【背景技術】
【０００２】
この発明に関連する従来技術としては、粒子検出用の貫通孔を有する検出ブロックと、前記貫通孔へ粒子含有液をシース液に包んで供給する第１セルと、前記貫通孔を通過した粒子含有液とシース液を受取って排出する第２セルと、第１および第２セルにそれぞれ設けられた電極と、第１又は第２セルの一方を摺動可能支持して両者の間隙を変化しうる摺動部材とを備え、検出ブロックが、第１および第２セルの間隙に離脱可能に扶持されて第１および第２セルに水密的に連結された粒子検出器が知られている（例えば、特許文献１参照）。
【０００３】
【特許文献１】特開平２００１−３３３７８号公報
【発明の開示】
【発明が解決しようとする課題】
【０００４】
従来、血液中の血球、あるいはセメントの粉、ラテックス、トナー等の工業用粒子の粒度や数を測定するのに、電気的検知帯法が用いられている。電気的検知帯法では、電解質溶液中に貫通孔を1つ有する隔壁を設け、貫通孔をはさんで２つの電極を配置し、電解質溶液中に測定対象となる粒子を分散させた粒子含有液を貫通孔に通して流す。
【０００５】
粒子が貫通孔を通過する時、電気抵抗が瞬間時に変化し電極間に電圧パルスが生じる。そのパルス高さは粒子体積を反映しているので、粒子の球相当径が形状にほとんど影響されずに測定でき、この結果をもとに試料粒子の体積基準の粒度を求めることができる。また、パルス数から粒子数を求めることができる。
【０００６】
ところで、このような電気的検知帯法を採用した粒子検出器、つまり電気抵抗式粒子検出器では、貫通孔に粒子含有液が流れると、貫通孔およびその近傍に気泡が生じる。そして、その気泡が多くなると、電極
間の検出パルスが乱れ、粒子情報が誤って検出されるという不都合が生じる。
【０００７】
この発明はこのような事情を考慮してなされたもので、貫通孔およびその近傍に生じる気泡を洗浄液によって除去し、精度の高い測定結果を得ようとするものである。
【課題を解決するための手段】
【０００８】
この発明は、試料を少なくとも希釈液で希釈して得られる粒子含有液中の粒子を測定する試料測定方法において、粒子検出用の貫通孔に洗浄液を吹き付けて、吹きつけられた洗浄液を回収することにより、気泡を除去する工程と、前記気泡除去工程の後、前記貫通孔に、粒子含有液を希釈液からなるシース液で包んで供給する工程と、貫通孔を通過する粒子を測定する工程と、からなる試料測定方法を提供する。
【発明の効果】
【０００９】
この発明によれば、粒子の測定を行う前に、洗浄液が貫通孔およびその近傍に吹き付けられ、気泡とともに排出されるので、粒子の測定を気泡のない状態で行うことができ、精度の高い測定結果を得ることが可能となる。
【発明を実施するための最良の形態】
【００１０】
この発明の試料測定方法は、試料を少なくとも希釈液で希釈して得られる粒子含有液中の粒子を測定する試料測定方法であって、粒子検出用の貫通孔に洗浄液を吹き付けて、吹きつけられた洗浄液を回収することにより、気泡を除去する工程と、前記気泡除去工程の後、前記貫通孔に、粒子含有液を希釈液からなるシース液で包んで供給する工程と、貫通孔を通過する粒子を測定する工程と、からなることを特徴とする。
【００１１】
また、上記試料測定方法は、血液分析装置や尿分析装置のような粒子分析装置に好適に用いることができる。
【００１２】
以下、図面に示す実施例に基づいてこの発明を詳述する。
血液分析装置の構成
図１はこの発明に係る血液分析装置の構成を示すブロック図であり、図２はその外観斜視図である。これらの図に示すように、血液分析装置は、血液分析装置本体１０１とパーソナルコンピュータ１０２から構成される。
【００１３】
本体１０１は、サンプリング部５１、希釈反応部５２、電気抵抗式検出部５３、フローサイトメータ式検出部５４、比色式検出部５５を備え、パーソナルコンピュータ１０２は、データ処理部５６と出力部５７
を備える。
【００１４】
サンプリング部５１は、分析対象の血液試料を収容した検体容器から所望量の血液試料を吸引定量し、希釈反応部５２へ送出する。希釈反応部５２は、定量された血液試料を所定倍率で希釈すると共に必要な試
薬で反応させた後、電気抵抗式検出部５３、フローサイトメータ式検出部５４、比色式検出部５５へ送出する。
【００１５】
電気抵抗式検出部５３は電気的検知帯法により、血液試料中の赤血球や血小板などの項目を測定する。フローサイトメータ式検出部はフローサイトメトリー法により、血液試料中の白血球の計数と分類を行うためのデータを測定する。また、比色式検出部５５は比色法により、血液試料中のヘモグロビン濃度を測定する。
【００１６】
データ処理部５６は、検出部５３，５４，５５で得られた各測定データから所望の測定項目を算出し、数値一覧表やスキャッタグラムの形で出力部５７に出力させる。
【００１７】
なお、データ処理部５６は、ＣＰＵ，ＲＯＭ，ＲＡＭで構成され、出力部５７はＣＲＴおよびプリンタで構成される。また、本体１０１は金属製のハウジング５８を備え、金属製ハウジング５８は、サンプリン
グ部５１、希釈反応部５２、検出部５３，５４，５５を収容する。
【００１８】
しかし、電気抵抗式検出部５３の粒子検出器は特にそのメンテナンス（保守、点検）が容易に行えるように、ハウジング５８の前面パネル５８ａの外面に設けられ、開閉可能なノイズ防止用の金属製カバー５９
内に収容されている。
【００１９】
（粒子検出器の構成）
図３はカバー５９内に収容される粒子検出器１の側面図、図４は図３のＡ−Ａ矢視断面図、図５は図３のＢ−Ｂ矢視断面図、図６は図４のＣ部拡大図である。
【００２０】
これらの図に示されるように、粒子検出器１は、板状部材３と、第１セル４と、第２セル５と、２本の貫通シャフト８，９とを備える。板状部材３は粒子検出用の貫通孔２を有する。第１セル４は、第１蓋部材１５と筒状の第１セル本体１６からなり、第２セル５は、第２蓋部材１８と筒状の第２セル本体２０からなる。
【００２１】
図４に示すように、板状部材３を挟んだ第１および第２セル本体１６と２０にはシャフト８，９が貫通し、貫通したシャフト８，９の両端からチューブ状のストッパー１０，１１，１２，１３がそれぞれ挿入されている。
【００２２】
そして、シャフト８，９の両端に形成された雄ネジにナット３１が螺着し、ナット３１の締め付け力により第１および第２セル本体１６と２０は板状部材３に水密的に結合している。
【００２３】
さらに、第１および第２蓋部材１５，１８はそれぞれ軸心を貫通するノズル１４と回収管１７を備える。また、第１および第２蓋部材１５，１８は、突出部１５ａ、フランジ部１５ｂと突出部１８ａ、フランジ
１８ｂとをそれぞれ備える。
【００２４】
突出部１５ａ，１８ａがそれぞれ第１および第２セル本体１６，２０の開口に挿入された状態でフランジ部１５ａと１５ｂがストッパー１０，１１，１２，１３の環状部１０ａ，１１ａ，１２ａ，１３ａに係
止し、第１および第２セル本体１６，２０の方向へ押圧されている。
【００２５】
それにより、第１および第２蓋部材１５，１８は、それぞれパッキン２１，２２を介して第１および第２セル本体１６，２０に水密的に結合されている。また、同時に、第１および第２蓋部材１５，１８は、ノズル１５ａと貫通孔２と回収管１７が互いに同軸になるようにシャフト８，９により位置決めされている。
【００２６】
フランジ部１５ｂには、図３に示すように、ノズル１４の軸を中心とする円弧上に挿通穴３２，３３と、係止穴３４，３５と、挿通穴３２と係止穴３４とを連通する円弧状の連通穴３６、挿通穴３３と係止穴
３５とを連通する円弧状の連通穴３７が穿設されている。
【００２７】
挿通穴３２，３３は内径がストッパー１０，１２の環状部１０ａ，１２ａの外径よりも大きく、係止穴３４，３５は内径が環状部１０ａ，１２ａの外径より小さくなっている。
【００２８】
また、挿通穴３２と連通穴３６と係止穴３４の各周縁および挿通穴３３と連通穴３７と係止穴３５の各周縁には、フランジ部１５ｂの表面から突出した帯状の縁取り部１５ｃが設けられている。そして、縁取り
部１５ｃは、係止穴３５を囲む部分の高さが他の部分よりも高くなっている。そして、環状部１０ａ，１２ａは、図３に示すように係止穴３４，３５の周りの縁取り部１５ｃに乗り上げた状態に保持されている。それによって、第１蓋部材１５は第１セル本体１６の方向に押圧
され、パッキン２１を介して第１セル本体１６に水密的に結合される。
【００２９】
また、フランジ部１８ｂもフランジ部１５ｂと同等の構成を有するので、第２蓋部材１８も同様にして第２セル本体２０にパッキン２２を介して水密的に結合される。
【００３０】
板状部材３は、図６に示すように中央の開口２３の内部に、貫通孔２を有するペレット２４と、ペレット２４を両側から挟む２つのリング状パッキン２５，２６を備える。そして、第１および第２セル本体部
１６，２０はペレット２４に対し、それぞれパッキン２５，２６を介して水密的に結合されている。
【００３１】
図５に示すように、第１セル本体１６は上方から嵌入されたステンレス鋼製のニップル６および下方に一体成型されたニップル２７を備える。ニップル６はシース液を受入れて貫通孔２へ供給し、ノズル１４か
ら噴射される粒子含有液を包んで貫通孔２を通過させる。また、ニップル６の先端は第１セル本体１６の内部に露出しており、測定用の電極（負極）として使用される。
【００３２】
ニップル２７は、洗浄液を受入れて貫通孔２へ斜め下方から吹き付けることができるように、ノズル１４の軸に対してほぼ４５度の角度を有する。
【００３３】
また、第２セル本体２０は上方と下方にそれぞれ一体成型されたニップル２８，１９を備える。ニップル１９は、洗浄液を受入れて貫通孔２へ斜め下方から吹き付けることができるように、回収管１７の軸に対
しほぼ４５度の角度を有する。
【００３４】
ニップル２８は第２セル本体２０内の洗浄液を排出するために設けられている。第２セル本体２０は、内部に露出する測定用電極７（図４）を備える。電極７は白金製の棒状電極であり、陽極として使用され、
フランジ部１８に回収管１７と平行に固定されている。
【００３５】
ノズル１４は後端にチューブ接続部２９を備え、回収管１７も後端にチューブ接続部３０を備える。
【００３６】
ノズル１４はステンレス鋼製で０．２ｍｍの内径を有し、ペレット２４は人工ルビー製で１ｍｍの板厚を有する。なお、貫通孔２の直径は測定対象粒子の粒度により異なるが、赤血球の場合は、５０〜１００μ
ｍである。
【００３７】
第１および第２セル本体１６，２０、第１蓋部材１５および第２蓋部材１８は、いずれも耐薬品性の熱可塑性樹脂ポリエーテルイミドを射出成型することにより形成される。
【００３８】
ニップル２７は第１セル本体１６と一体成型され、ニップル１９，２８は第２セル本体２０と一体成型される。ノズル１４、電極兼ニップル６および電極７は、成型後の第１セル本体１６および第２蓋部材１８
にそれぞれ圧入され、接着剤で固定される。
【００３９】
（粒子検出器の分解と組立て）
粒子検出器の分解と組立て貫通孔２およびその近傍の付着物を除去する保守作業などを行う場合に粒子検出器１を分解し、組立てる方法に
ついて説明する。まず、作業者は、図３に示すフランジ部１５ｂを握り、矢印Ｄ方向（反時計方向）に約４５度だけ回転させる。それによって、環状部１０ａ，１２ａが相対的にフランジ部１５ｂの２つの挿通穴３２，３３へ移動する。そこで、作業者はフランジ部１５ｂを握りながら第１蓋部材１５を第１セル本体１６から図７に示すように引き出すことができる。
【００４０】
第２蓋部材１８についても、フランジ部１８ｂを同様に操作することにより、第２セル本体２０から引き出すことができる。そこで、作業者は、第１および第２セル本体１６，２０の各開口から細筆状のブラシ
を挿入し、貫通孔２およびその近傍の付着物を貫通孔２の両側から除去する。
【００４１】
次に、粒子検出器１をもと通りに組立てる場合は、分解操作と逆の順序で行う。つまり、第１蓋部材１５のフランジ部１５ｂを握り、フランジ部１５ｂの挿通穴３２，３３にそれぞれストッパー１０，１２の環
状部１０ａ，１２ａを挿通する。同時に突出部１５ａも第１セル本体１６の開口に挿入する。
【００４２】
そして、フランジ部１５ｂを第１セル本体１６の方向へ押し付けながらフランジ部１５ｂを図３の矢印Ｄと逆方向（反時計方向）に約４５度だけ回転させる。それに伴って、環状部１０ａ，１２ａは、係止穴３
４，３５へ相対的に移動し縁取り部１５ｃの高い部分に乗り上げる。
【００４３】
それによって第１蓋部材１５は第１セル本体１６に向って押圧され、パッキン２１を介して第１セル本体１６に水密的に結合する。第２蓋部材１８も同様の手順によって第２セル本体１８に水密的に結合させ
る。それによって、組立て作業を終了する。
【００４４】
（粒子検出器のカバーの構成）
図８は粒子検出器１のカバー５９の斜視図、図９はカバー５９を開いた状態を示す斜視図、図１０はカバー５９の横断面図である。これらの図に示すように、カバー５９はビス８２により固定されているので、ビス８２をゆるめてツマミ８０を手前に引くと、カバー５９が開いて、内部に設置されている粒子検出器１が露出するようになっている。
【００４５】
カバー５９は外側カバー６０と内側カバー６１の２重構造になっている。内側カバー６１は対応する底板６３を備え、底板６３は絶縁ブッシュ６２を介して絶縁樹脂製のビス６５により前面パネル５８ａに固定
されている。底板６３は周縁から立設する２枚の横方向の補助側板６３ａと２枚の縦方向の補助側板６３ｂを備え、補助側板６３ａ，６３ｂはカバー５９を閉じた時に、内側カバー６１の内面に弾性的に接触するように構成されている。
【００４６】
また、外側カバー６０に対応して１枚の補助側板６４が前面パネル５８ａに金属製ビス８１で固定され、カバー５９を閉じた時に、補助側板６４は外側カバー６０の内面に弾性的に接触する。そして、外側カバ
ー６０は金属製ビス８２により補助側板６４に固定される。
【００４７】
さらに、外側カバー６０は開口の周縁にスポット溶接した４枚の接触板６６を備える。これらに対応して前面パネル５８ａには、４つの導電性の弾性部材６７が固定され、カバー５９を閉じた時に、４枚の接触
板６６が対応する各弾性部材６７に弾性的に接触するようになっている。
【００４８】
また、外側カバー６０は図１０に示すように内側カバー６１に絶縁部材６８を介して固定されている。内側カバー６１は、図９に示すように、２本の支点ピン６９により、２枚の縦方向の補助側板６３ｂに回転
可能に支持され、これによってカバー５９が開閉できるようになっている。
【００４９】
外側カバー６０、内側カバー６１、補助側板６３ａ，６３ｂ，６４、接触板６６はすべて金属板（例えばステンレス鋼板）で製作されている。従って、カバー５９を閉じた時には、粒子検出器１は、互いに絶
縁された２重の導体ケースで覆われることになる。なお、導電性の弾性部材６６は、例えば、スポンジゴムに導電テープを貼り付けることにより容易に形成することができる。
【００５０】
（電気抵抗式検出部５３の電気回路の構成と動作）
図１１は電気抵抗式検出部５３の電気回路の要部を示す回路図である。図１１に示すように、商用電源からＡＣ１００Ｖの電圧がスイッチング電源回路７１に入力されると、スイッチング電源回路７１はＡＣ１００Ｖの電圧をＤＣ５ＶとＤＣ１２Ｖの電圧に変換し、グランドラインＧを共通の負極として５Ｖと１２Ｖの直流電圧を出力する。
【００５１】
昇圧回路７２はＤＣ１２Ｖを５６Ｖに昇圧し、グランドラインＧを負極として５６Ｖの直流電圧を定電流回路７３へ入力する。
【００５２】
定電流回路７３は無負荷電圧５６Ｖの直流電圧を粒子検出器１の電極６，７へ、電極７が正極、電極６が負極になるように印加する。粒子検出器１において、シース液に包まれた粒子含有液が貫通孔２を通過す
るとき、電極６，７間に定電流回路７３から定電流が供給され、電極６，７間の電気抵抗（又はインピーダンス）が変化し、その変化が電圧の変化（パルス）として電極６，７間に現れる。
【００５３】
電極６，７間の電圧がアンプ７４により増幅され、Ａ／Ｄ変換器７５でデジタル信号に変換される。変換されたデジタル信号に基づいて演算回路７６は粒径や粒子数などのデータを算出し、パーソナルコンピュータ１０２（図１）へ出力する。
【００５４】
図１１に示す回路において、スイッチング電源回路７１の５Ｖの出力電圧はその正極と負極がそれぞれ電源ラインＨとグランドラインＧに接続される。アンプ７４、Ａ／Ｄ変換器７５、演算回路７６はラインＨ,Ｇに接続され、ラインＨ．Ｇから電圧を受けて駆動するようになっている。
【００５５】
（粒子検出器１のノイズ対策）
粒子検出器１を図８〜図１０に示すように外側カバー６０と内側カバー６１からなる２重構造のカバー５９で覆い、図１１に示すように外側カバー６０をハウジング５８の前面パネル５８ａを介して接地し、内側カバー６１を電気回路のグランドラインＧに接続する。このような
構成によって粒子検出器１を外部ノイズから遮蔽することができ、電磁波に関するＥＭＣ規制をクリアすることができる。
【００５６】
つまり、８０ＭＨｚ〜１ＧＨｚの高周波を１ＫＨｚでＡＭ変調した３Ｖ／ｍの電界強度の電波を外部から受けても、アンプ７４の出力はそれによって影響を受けないことが確認されている。
【００５７】
（粒子検出器１の気泡除去操作）
粒子検出器１において、第１セル４から第２セルへ貫通孔２を介してシース液と共に粒子含有液を流しながら、粒子の測定を行うと、貫通孔２およびその近傍に気泡が発生する。この気泡が多くなると、その気泡が電極６，７間の検出電圧を乱し、粒子情報が誤って検出されると
いう不都合が生じる。
【００５８】
そこで、この発明では、１つの検体の測定を行う直前に、図５に示すニップル１９，２７から洗浄液を貫通孔２とその近傍に吹き付ける。それにより、貫通孔２とその近傍に付着又は浮遊する気泡を除去して洗
浄液と共にニップル２８，６からそれぞれ排出させるようにしている。これによって、粒子検出器１は高い検出精度を維持することができる。
【００５９】
（電気抵抗式検出部５３の流体回路とその動作）
図１２は粒子検出器１を用いた電気抵抗式検出部５３の要部流体回路図である。同図において、バルブＶ１，Ｖ２が開くと、排液チャンバＷＣ１の陰圧により赤血球測定用の試料が試料チャンバＳＣより流路Ｐに吸引され貯留される。なお、試料チャンバＳＣには希釈反応部５２
（図１）で希釈された赤血球測定用試料が予め貯留されている。
【００６０】
バルブＶ１，Ｖ２が閉じ、バルブＶ３，Ｖ４，Ｖ５，Ｖ６が開くと、希釈液チャンバＤＣから陽圧により希釈液が洗浄液としてニップル２７，１９へ供給され、貫通孔２に吹き付けられ、第１および第２セル４，５内の洗浄と気泡の除去を行ってニップル６，２８から排液チャンバＷＣ１へ排出される。
【００６１】
バルブＶ３，Ｖ４，Ｖ５，Ｖ６が閉じ、バルブＶ７が開くと、希釈液チャンバＤＣから陽圧により希釈液がシース液としてニップル６へ供給され、貫通孔２と回収管１７を通って排液チャンバＷＣ２へ排出され
る。これによって貫通孔２を通るシース液流が形成される。
【００６２】
この状態でシリンジポンプＣＰを吐出方向に作動させると、流路Ｐに貯留されていた試料が押し出され、ノズル１４から貫通孔２へ噴出する。噴出した試料はシース液に包まれて貫通孔２を通過し回収管１７を
介して排液チャンバＷＣ２ヘ排出される。
【００６３】
試料がシース液に包まれて貫通孔２を通過するとき電極６（図３）と電極７（図２）間のインピーダンスの変化が図１１に示す測定回路により測定される。測定が終了すると、シリンジポンプＣＰを停止させる。そして、バルブＶ８を開き、試料チャンバＳＣの残留試料を排液チャンバＷＣ１へ排出する。
【００６４】
次に、バルブＶ１，Ｖ２，Ｖ８，Ｖ９を開き、試料吸引流路、試料チャンバＳＣ、シリンジポンプＣＰ、ノズル１４に希釈液チャンバＤＣから希釈液を洗浄液として供給し、一定時間後にバルブＶ１，Ｖ２、Ｖ
８，Ｖ９を閉じて洗浄を終了する。
【産業上の利用可能性】
【００６５】
本発明に係る試料測定方法は、粒子の測定を行う前に、洗浄液が貫通孔およびその近傍に吹き付けられ、気泡とともに排出されるので、粒子の測定を気泡のない状態で行うことができ、精度の高い測定結果を得ることが可能である等の優れた効果を奏し、試料測定方法として有用である。
【図面の簡単な説明】
【００６６】
【図１】この発明に係る血液分析装置の構成を示すブロック図である。
【図２】この発明に係る血液分析装置の斜視図である。
【図３】この発明に係る粒子検出器の側面図である。
【図４】図３のＡ−Ａ矢視断面図である。
【図５】図３のＢ−Ｂ矢視断面図である。
【図６】図４のＣ部拡大図である。
【図７】図４に示す粒子検出器の分解図である。
【図８】この発明に係る粒子検出器のカバーの斜視図である。
【図９】図８に示すカバーを開いた状態を示す斜視図である。
【図１０】図８に示すカバーの横断面図である。
【図１１】この発明に係る血液分析装置の要部電気回路図である。
【図１２】この発明に係る血液分析装置の要部流体回路図である。
【符号の説明】
【００６７】
１  粒子検出器
２  貫通孔
３  板状部材
４  第１セル
５  第２セル
６  電極（ニップル）
７  電極
８  シャフト
９  シャフト
１０  ナット
１１  ナット
１２  ナット
１３  ナット
１４  ノズル
１５  第１蓋部材
１６  第１セル本体
１７  回収管
１８  第２蓋部
１９  ニップル
２０  第２セル本体
２１  パッキン
２２  パッキン
２３  開口
２４  ペレット
２５  パッキン
２６  パッキン
２７  ニップル
２８  ニップル
２９  チューブ接続部
３０  チューブ接続部
５９  カバー
６０  外側カバー
６１  内側カバー
６２  絶縁ブッシュ
６３  底板
６４  補助側板
６５  ビス
６６  接触板
６７  弾性部材
６８  絶縁部材
６９  支点ピン
【図１】
2006171010.tif 000003
【図２】
2006171010.tif 000004
【図３】
2006171010.tif 000005
【図４】
2006171010.tif 000006
【図５】
2006171010.tif 000007
【図６】
2006171010.tif 000008
【図７】
2006171010.tif 000009
【図８】
2006171010.tif 000010
【図９】
2006171010.tif 000011
【図１０】
2006171010.tif 000012
【図１１】
2006171010.tif 000013
【図１２】
2006171010.tif 000014